(57)【要約】【課題】複数に分割された２重管構造のパイプを成形する金型であっても、還流通路と吸気通路との肉厚等を適正に保つことできるようにする。【解決手段】パイプ４を成形する金型を、当該パイプ４の外側面を成形する側面用固定金型５１ａ、該側面用固定金型５１ａに向い合わせてして用いられる側面用可動金型５１ｂ、パイプ４の１つの側端を成形すると共に、吸気通路を形成する吸気通路用金型５２、パイプ４の他端を成形すると共に、吸気通路用金型５２の頭部が挿入される上端側金型５３、１端が吸気通路用金型５２に挿入されて支持されると共に、他端が側面用金型５１により支持されて吸気通路用金型５２及び側面用金型５１とそれぞれ所定の距離を保つように設けられた、還流通路を成形する還流通路用金型５４により構成し、側面用固定金型５１ａに還流通路用金型５４を支持する突起５５を設ける。【選択図】  図５
2005185859.tif 000002
【特許請求の範囲】
【請求項１】
パイプ内が区画され吸気通路と還流通路の２つの通路が一体化して形成される還流式電気掃除機用のパイプであって、前記パイプは、前記パイプの外側面を形成する側面用固定金型及び側面用可動金型からなる側面用金型と、前記吸気通路を形成する吸気通路金型と、前記還流通路を形成する還流通路用金型とで組立てられた金型の内部にパイプ材料が注入されることにより形成され、更に、前記吸気通路と前記還流通路との間の肉厚を適正に保つことができるように前記還流通路用金型を支持する突起により、前記還流通路と外部とを連通する挿入穴が前記パイプに形成されていることを特徴とする還流式電気掃除機用のパイプ。
【請求項２】
パイプ内が区画され吸気通路と還流通路の２つの通路が一体化して形成される還流式電気掃除機用のパイプであって、前記パイプは、前記パイプの外側面を形成する側面用固定金型及び側面用可動金型からなる側面用金型と、前記吸気通路を形成する吸気通路金型と、前記還流通路を形成する還流通路用金型とで組立てられた金型の内部にパイプ材料が注入されることにより形成され、更に、前記吸気通路と前記還流通路との間の肉厚を適正に保つことができるように前記還流通路用金型を支持する突起により、前記還流通路と外部とを連通する挿入穴が前記パイプに形成され、更に、前記挿入穴を閉成する閉塞部材が設けられていることを特徴とする還流式電気掃除機用のパイプ。
【請求項３】
請求項１又は請求項２記載のパイプを用いた還流式電気掃除機。
【請求項４】
パイプ内が区画され吸気通路と還流通路の２つの通路が一体化して形成される還流式電気掃除機用パイプの製造装置であって、前記パイプの外側面を形成する側面用固定金型及び側面用可動金型からなる側面用金型と、前記吸気通路を形成する吸気通路金型と、前記還流通路を形成する還流通路用金型とで構成され、内部にパイプ材料が注入される金型を備え、更に、前記吸気通路と前記還流通路との間の肉厚を適正に保つことができるように前記還流通路用金型を支持する突起を備えたことを特徴とする還流式電気掃除機用パイプの製造装置。
【請求項５】
請求項４記載の製造装置により製造された前記パイプを用いた還流式電気掃除機。
【発明の詳細な説明】
【技術分野】
【０００１】
本発明は、いわゆる還流式電気掃除機における床用吸引具と掃除機本体との間に接続されるパイプの製造装置及びそれを用いた還流式の電気掃除機に関する。
【背景技術】
【０００２】
一般に、電気掃除機の本体内部には集塵袋や電動送風機が設けられ、また本体には吸引部が挿着されている。
【０００３】
この吸引部は、床用吸引具、延長用のパイプ、ホース、接続用のパイプ等が順次接続されてなるもので、電動送風機が回転することにより、床用吸引具下の塵埃が吸引された空気と共にこれらを介して掃除機本体に吸気されて掃除が行われるようになっている。
【０００４】
そして、吸引された塵埃を含む空気は、掃除機本体内に設けられた集塵袋等により除塵され、その後機外に排気される。
【０００５】
このとき、吸気した空気を総て排気してしまうと、その勢いが大きく、また量も多いため、排気風によって床や絨毯の上に沈滞する塵埃が部屋全体に舞ってしまう不具合が生じる。
【０００６】
そこで、機外に排気する空気の一部を床用吸引具に戻し、これにより機外に吐出す空気量をできるだけ少なくして塵埃の舞い上げを抑制すると共に、床用吸引具に戻された空気で当該床用吸引具下の塵埃を攪拌し、効率的に集塵を行うようにしたいわゆる排気還流式の電気掃除機が提案されている。
【０００７】
かかる電気掃除機における掃除機本体では、塵埃を含む空気を吸気除塵した後、当該空気を機外に吐出す空気と還流させる空気とに分流している。
【０００８】
そして吸引部は、吸気通路と還流通路との２重管構造に形成されて、塵埃を含む空気は吸気通路を介して掃除機本体に導かれ、また掃除機本体からの還流空気は還流通路を介して床用吸引具に戻るようになっている。
【０００９】
このようなパイプの構成としては、例えば直径の異なる断面円環状の２本のパイプを相手のパイプに挿入し、端部をスペーサ等で支持することにより形成することができる。
【００１０】
しかし、このような構成では、組立工数が増えてコストアップの要因となるので、内側のパイプと外側のパイプとを長手方向に沿って一体化した構成にすることが考えられる。
【００１１】
このように内側のパイプと外側のパイプとを一体化した構成では、１回の金型成形で２重管構造のパイプが形成でき、かつ、端部をスペーサ等で支持する作業が不要になるのでコストアップを抑制することが可能になる。
【００１２】
一般に延長パイプの成形金型は、延長パイプの一端開口側の金型（一端側金型）に通路を形成する筒状金型を一体形成すると共に、延長パイプの他端開口部の金型（他端側金型）に一端側金型の筒状金型の遊端を当接又は支持させる構成となっている。
【００１３】
ところが、延長パイプ内を区画して２つの通路を形成する構成では、各通路を成形するための金型がより細長い形状となるため、金型内に樹脂を注入すると一方の通路を構成する部分に流れた樹脂の圧力により、他方の通路を構成する金型が押されてパイプの肉厚が変動し、著しい場合には他方の通路と外部とが連通する問題がある。
【特許文献１】特開平９−１５４７７７号公報
【発明の開示】
【発明が解決しようとする課題】
【００１４】
本発明は、複数に分割された金型であっても、還流通路と吸気通路との肉厚等を適正に保つことできるようにした電気掃除機のパイプ製造装置及びそれによるパイプ並びにそれを用いた電気掃除機を提供することを課題とする。
【課題を解決するための手段】
【００１５】
上記課題を解決するため、請求項１にかかる発明は、パイプ内が区画され吸気通路と還流通路の２つの通路が一体化して形成される還流式電気掃除機用のパイプであって、前記パイプは、前記パイプの外側面を形成する側面用固定金型及び側面用可動金型からなる側面用金型と、前記吸気通路を形成する吸気通路金型と、前記還流通路を形成する還流通路用金型とで組立てられた金型の内部にパイプ材料が注入されることにより形成され、更に、前記吸気通路と前記還流通路との間の肉厚を適正に保つことができるように前記還流通路用金型を支持する突起により、前記還流通路と外部とを連通する挿入穴が前記パイプに形成されていることを特徴とする還流式電気掃除機用のパイプにある。
【００１６】
請求項２にかかる発明は、パイプ内が区画され吸気通路と還流通路の２つの通路が一体化して形成される還流式電気掃除機用のパイプであって、前記パイプは、前記パイプの外側面を形成する側面用固定金型及び側面用可動金型からなる側面用金型と、前記吸気通路を形成する吸気通路金型と、前記還流通路を形成する還流通路用金型とで組立てられた金型の内部にパイプ材料が注入されることにより形成され、更に、前記吸気通路と前記還流通路との間の肉厚を適正に保つことができるように前記還流通路用金型を支持する突起により、前記還流通路と外部とを連通する挿入穴が前記パイプに形成され、更に、前記挿入穴を閉成する閉塞部材が設けられていることを特徴とする還流式電気掃除機用のパイプにある。
【００１７】
請求項３にかかる発明は、請求項１又は請求項２記載のパイプを用いた還流式電気掃除機にある。
【００１８】
請求項４にかかる発明は、パイプ内が区画され吸気通路と還流通路の２つの通路が一体化して形成される還流式電気掃除機用パイプの製造装置であって、前記パイプの外側面を形成する側面用固定金型及び側面用可動金型からなる側面用金型と、前記吸気通路を形成する吸気通路金型と、前記還流通路を形成する還流通路用金型とで構成され、内部にパイプ材料が注入される金型を備え、更に、前記吸気通路と前記還流通路との間の肉厚を適正に保つことができるように前記還流通路用金型を支持する突起を備えたことを特徴とする還流式電気掃除機用パイプの製造装置にある。
【００１９】
請求項５にかかる発明は、請求項４記載の製造装置により製造されたパイプを用いた還流式電気掃除機にある。
【発明の効果】
【００２０】
請求項１にかかる発明によれば、還流通路と吸気通路との間の肉厚等を適正に保つことできるようになり、不良品の発生が抑制されて歩留向上によるコストダウンが可能になる。
【００２１】
請求項２にかかる発明によれば、還流通路と吸気通路との間の肉厚等を適正に保つことできるようになり、不良品の発生が抑制されて歩留向上によるコストダウンが可能になる。また、吸気通路と還流通路との間の肉厚を適正に保つことができるように突起により還流通路用金型を支持していることにより、還流通路と外部とを連通する挿入穴がパイプに形成されるが、この挿入穴は閉塞部材で閉成され、よって還流通路と外部との連通を容易に遮断することができる。
【００２２】
請求項３にかかる発明によれば、請求項１又は請求項２記載のパイプを用いて還流式電気掃除機を形成したので、当該還流式電気掃除機のコストダウンが図れる。
【００２３】
請求項４にかかる発明によれば、還流通路と吸気通路との間の肉厚等を適正に保つことできるようになり、不良品の発生が抑制されて歩留向上によるコストダウンが可能になる。
【００２４】
請求項５にかかる発明によれば、請求項４項記載の製造装置により製造されたパイプを用いて還流式電気掃除機を形成したので、当該還流式電気掃除機のコストダウンが図れる。
【発明を実施するための最良の形態】
【００２５】
本発明の実施の形態を図を参照して説明する。図１は本実施の形態の説明に適用される電気掃除機の側断面図であり、図２は本体部の拡大断面図である。
【００２６】
当該電気掃除機は、電動送風機１３や集塵袋１２等を本体ケース１１内に収納した本体部１０及びこの本体部１０に脱着可能に設けられた吸引部２を主要構成としている。
【００２７】
吸引部２は、ホース３、延長用のパイプ４、接続用のパイプ４’及び床用吸引具５等により構成され、これらは２重管構造に形成されて、内側の通路が塵埃を本体部１０に吸引する際の流路をなす吸気通路６となり、また外側の通路が本体部１０から床用吸引具５に還流させる空気の流路をなす環流通路７となっている。
【００２８】
図３及び図４はかかるパイプ４の断面構造を示す図で、図３は長手方向の断面図、図４は半径方向の断面図である。
【００２９】
当該パイプ４は、内側のパイプ４ａと外側のパイプ４ｂとを、長手方向に沿って一端を一体化して形成されてなる一体構造で、断面が円形状に形成されて内側に設けられた吸気通路６と、断面が三日月状に形成されて吸気通路６を取囲むように設けられた還流通路７との２重管構造をなしている。
【００３０】
本体ケース１１には、上述したように電動送風機１３が収納される電動機室１４、集塵袋１２が収納される集塵室１５が形成され、電動機室１４と集塵室１５との間に微塵フィルタ１６が設けられている。
【００３１】
また、集塵室１５の前面（電動機室１４と反対側）には、接続用のパイプ４’が装着されるパイプ差込口１７が設けられ、左右の車輪４９には空気を機外に排気する図示しない排気口が設けられている。
【００３２】
さらに、電動機室１４及び集塵室１５の下側には、電動送風機１３から吐出された空気の一部を吸引部２に戻すための本体側還流路１９が形成されている。
【００３３】
電動送風機１３は、モータ４５、該モータ４５のモータ軸に取付けられた図示しない遠心ファンを覆うファンカバー４７、該遠心ファンから吐出された空気の一部をモータ側にガイドする図示しないディフューザ等により構成され、当該電動送風機１３がモータケース４１に収納されている。
【００３４】
なお、モータケース４１は、区画壁４４が設けられて、この区画壁４４によりモータケース４１内はファンカバー４７側の空間４３（以下、還流空気室４３と記載する）とモータ側の空間４２（以下、排気空気室４２と記載する）とに区画され、これにより還流空気室４３と排気空気室４２との空気が相互に流動しないように規制されている。
【００３５】
還流空気室４３内に位置するファンカバー４７の側面には、遠心ファンにより吐出された空気の一部を本体側還流路１９に導入するための還流空気取出口４８が複数設けられている。
【００３６】
また、排気空気室４２内に位置するモータ４５には、ディフューザによりガイドされてきた空気を当該モータ４５の内側に導く図示しない冷却用空気導入口が形成されると共に、該冷却用空気導入口からモータ内に流入してステータ等の冷却に用いられた空気を排気空気室４２に吐出すための吐出口４６が形成されている。
【００３７】
そして、還流空気室４３は、上述した本体側還流路１９に連通し、排気空気室４２は該排気空気室４２の側壁に設けられたフィルタ５１を介して図示しない排気口と連通している。
【００３８】
本体側還流路１９は、本体ケース１１の底部に設けられてパイプ差込口１７まで延設され、当該パイプ差込口１７に装着されたパイプ４’の環流通路７と還流路接続部５０で接続されるようになっている。
【００３９】
これにより、ファンカバー４７から還流空気室４３に吐出された空気は、本体側還流路１９、還流路接続部５０及び環流通路７を経て床用吸引具５に還流するようになっている。
【００４０】
図５は、上記構成の排気還流式電気掃除機に用いるパイプ４の製造装置における金型の構成を示す図で、同図ではパイプ４の長手方向の断面図を示している。なお、図４においてハッチング領域が金型、白抜領域が形成されるパイプ４を示している。
【００４１】
かかる金型は、パイプ４の外側面を形成する側面用金型５１、パイプ４の１つの側端を成形すると共に吸気通路６を形成する吸気通路用金型５２、パイプ４の他端（図５では上側端部）を成形すると共に、吸気通路６の頭部が挿入される上端側金型５３、１端が吸気通路用金型５２に挿入されると共に、吸気通路６と還流通路７との間隔が所定間隔になるように他端が側面用金型５１により支持されて還流通路７を成形する還流通路用金型５４により構成されている。
【００４２】
また、吸気通路用金型５２は、パイプ４の１つの側端（図５では、下側端部）を成形する下端側金型５９、該下端側金型５９に立設されて吸気通路６を形成する吸気通路金型６１により構成されている。
【００４３】
側面用金型５１は、さらに固定して用いられる側面用固定金型５１ａ、該側面用固定金型５１ａに向い合わせにして用いられる側面用可動金型５１ｂにより構成されている。
【００４４】
そして、側面固定用金型５１ａに対して側面用可動金型５１ｂを対向配置する。一方、吸気通路金型６１が立設された下端側金型５９に還流通路用金型５４を挿入し、これを側面固定用金型５１ａと側面用可動金型５１ｂとの間に挿入し、上端側金型５３を吸気通路金型６１に挿入する。
【００４５】
なお、この上端側金型５３には、還流通路７の一部をなす還流通路部６０が設けられて、当該還流通路部６０が還流通路用金型５４に当接することにより連通した還流通路７が形成されるようになっている。
【００４６】
このようにして組立てられた金型の内部には、パイプ４の肉に対応する隙間（空間）が形成され、この隙間にパイプ４の材料が注入される。パイプ４の材料の注入口は、例えば還流通路部６０に設けることが可能である。
【００４７】
このとき、還流通路７と吸気通路６との間の肉厚Ｌ１及び還流通路７が接するパイプ４の肉厚Ｌ２の設計値が小さく、かつ、還流通路用金型５４が長いため、注入されたパイプの材料が流動する際の圧力により、還流通路用金型５４が少しでも傾いてしまうと、図６に示すようにこれらの寸法Ｌ１，Ｌ２が設計値から大きく外れてしまい、時には還流通路７と吸気通路６とが連通してしまったり、還流通路７が外部と連通したりする不都合が発生する場合がある。
【００４８】
そこで、本発明では、側面用固定金型５１ａの解放端側（図５では上側端部）に還流通路７と吸気通路６との間の設計肉厚Ｌ２に等しい高さを持つ突起５５を設けて、還流通路用金型５４を支持するようにしている。
【００４９】
なお、この突起５５が設けられている部分は、図７及び図８に示すように挿入穴５６として残るので、本発明では、係合爪５８が設けられた閉塞部材５７を設けて、パイプ４を成形した後に当該閉塞部材５７を挿入穴５６に係合させるようになっている。
【００５０】
この係合爪５８は、閉塞部材５７の端部に対向して設けられているので、この閉塞部材５７を挿入穴５６に宛い押込むだけで還流通路７の側壁と容易に係合できて、還流通路７と外部との連通を簡単かつ容易に遮断することができるようになる。
【００５１】
このような構成により、パイプ４の寸法が狂うと言った事態が抑制されて、パイプ４の歩留りが向上して、それを用いた電気掃除機のコストダウンが可能になる。
【図面の簡単な説明】
【００５２】
【図１】本発明の実施の形態の説明に適用される電気掃除機の断面構成図である。
【図２】本体部の拡大断面構成図である。
【図３】パイプの長手方向の断面図である。
【図４】パイプの半径方向の断面図である。
【図５】２重管構造のパイプを成形する際の様子を示す断面図である。
【図６】肉厚の制御が適正でない場合に生じる問題点を示す図である。
【図７】パイプの金型成形後に形成された挿入穴の状態を示す断面図である。
【図８】挿入穴に閉塞部材を係合させた状態を示す図である。
【符号の説明】
【００５３】
４  パイプ
６  吸気通路
７  還流通路
５１  側面用金型
５２  吸気通路金型
５５  突起
５６  挿入孔
５７  閉塞部財
【図１】
2005185859.tif 000003
【図２】
2005185859.tif 000004
【図３】
2005185859.tif 000005
【図４】
2005185859.tif 000006
【図５】
2005185859.tif 000007
【図６】
2005185859.tif 000008
【図７】
2005185859.tif 000009
【図８】
2005185859.tif 000010